(57)【要約】【課題】本発明の課題は、図書館の書架と閲覧室において、閲覧のための書籍の移動に伴う資料状態の管理と、利用者から書籍が書架に在架しているか閲覧室で閲覧中かを判別を容易にする、図書管理システムの書籍閲覧管理方法を提供することにある。【解決手段】前記課題は、ＩＣタグが貼付された書籍と、書架と閲覧室の間に設置したＩＣタグリーダと、ＩＣタグリーダにより書籍の閲覧状態等を蓄積するデータベースと、書籍の閲覧状態を表示可能な検索手段を備えることによって達成される。【選択図】図１
2009110323.tif 000002
【特許請求の範囲】
【請求項１】
書籍の固有の情報を管理する識別番号を記録したＩＣタグと、そのＩＣタグを貼付した書籍と、書架と閲覧室との間に設置されたＩＣタグリーダと、書籍の識別情報を蓄積する図書管理システムにおいて、
書籍を書架と閲覧室との間に設置されたＩＣタグリーダにより、書籍の識別情報を読取り、書籍の状態や閲覧開始時間、閲覧回数を更新することを特徴とする図書管理システムの書籍閲覧管理方法。
【請求項２】
書籍の固有の情報を管理する識別番号を記録したＩＣタグと、そのＩＣタグを貼付した書籍と、書架と閲覧室との間に設置されたＩＣタグリーダと、書籍の識別情報を蓄積する図書管理システムにおいて、
書籍が書架で在架しているか又は閲覧室にて利用されているかを、利用者が書籍の検索を可能とする端末から書籍の検索を行い、書籍の状況を確認でき、また、利用されている場合は利用状況を表示することを特徴とする図書管理システムの書籍閲覧管理方法。
【請求項３】
書籍の固有の情報を管理する識別番号を記録したＩＣタグと、そのＩＣタグを貼付した書籍と、書架と閲覧室との間に設置されたＩＣタグリーダと、書籍の識別情報を蓄積する図書管理システムにおいて、
図書館のデータベースに登録している利用者のみでなく、登録されていない利用者でも閲覧管理が可能となることを特徴とする図書管理システムの書籍閲覧管理方法。
【請求項４】
書籍の固有の情報を管理する識別番号を記録したＩＣタグと、そのＩＣタグを貼付した書籍と、書架と閲覧室との間に設置されたＩＣタグリーダと、書籍の識別情報を蓄積する図書管理システムにおいて、
複数冊の書籍を閲覧した場合に、書架へ戻す際にＩＣタグリーダが読取った識別番号によって、戻し忘れを防止する機能を有することを特徴とする図書管理システムの書籍閲覧管理方法。
【発明の詳細な説明】
【技術分野】
【０００１】
本発明は図書館での書籍貸出の管理と、ＩＣタグを利用して行う書籍の管理方法に関し、特に書籍の閲覧利用を効率よく管理するのに好適な図書管理システムの閲覧管理方法に関する。
【背景技術】
【０００２】
従来の図書管理システムは、図書館の書籍の貸出管理において、書籍に貼付されたＩＣタグを、カウンター職員がＩＣタグリーダに読み込ませる操作をすることで貸出・返却の管理を図書管理システムで行っている。
【０００３】
また、この種の図書管理システムは例えば特許文献１、特許文献２に記載されているように、各書棚毎にＩＣタグリーダを設置し、１つ１つの書籍の位置情報を管理することで、配架状況の管理を行うことができる。また、特許文献３に記載されているように、各書籍の１ページ毎にＩＣタグを貼付することで、各ページ毎の閲覧状況を管理することができる。
【０００４】
【特許文献１】特開２００４−２６４６５号公報
【特許文献２】特開２００５−１８２３５２号公報
【特許文献３】特開２００６−２６０３３２号公報
【発明の開示】
【発明が解決しようとする課題】
【０００５】
従来の図書管理システムでは、特許文献１、特許文献２のように書籍の閲覧の管理のために、各書棚毎にＩＣタグリーダを設置し、１つ１つの書籍の位置情報を管理することができるが、各書棚に設置するＩＣタグリーダが大量に必要となり、また、そのＩＣタグリーダを個々に管理するための装置が必要となり、これにより書棚設置のためのコストが大きくなってしまう問題があった。また、特許文献３のように書籍の各ページ毎の閲覧状況は管理できなくてもよく、各ページ毎に貼付するＩＣタグが大量に必要となり、これによりＩＣタグ貼付のためのコストが大きくなってしまう問題があった。また、他利用者が閲覧している状況の詳細はカウンター職員へ確認する必要があり、書籍の探索に手間がかかる問題があった。
【０００６】
本発明の目的は、書架と閲覧室の間のＩＣタグリーダを使用して、書籍の持ち出しを管理する方法と、閲覧中の書籍の情報を利用者から簡易に確認できる方法を提供することである。
【課題を解決するための手段】
【０００７】
上記目的を達成するために、本発明ではＩＣタグが貼付された書籍、書籍を収める書棚、書棚が陳列する書架と閲覧するための閲覧室との間にＩＣタグリーダ、ＩＣタグリーダを制御する管理装置、管理装置からの識別情報と書籍情報を蓄積するためのデータベースを用意する。ＩＣタグは、貼付された書籍を管理するための識別番号が書き込まれており、ＩＣタグリーダにて該当書籍の識別番号を読み取ることができる。書棚は特許文献２に記載されているような、各書棚毎にＩＣタグリーダは設置しないものとし、書棚毎の書籍の管理は行わない。ＩＣタグリーダは、書架と閲覧室の間に設置し、書籍を書架から閲覧室へ、又は閲覧室から書架へ移動する際に、自動的にＩＣタグの識別情報を読み込むことができる。データベースでは、書籍の識別番号と書籍の書名等書誌情報と、資料状態や配架場所等資料情報を蓄積し、利用者が操作して書籍を検索する検索端末やｗｅｂでの利用が可能な検索システムなどの検索手段から簡易に書籍の情報を確認できる。
【０００８】
さらに、図書館では図書管理システムのデータベースに登録されていない利用者にも書籍は利用されている。また、貸出・返却処理においては、データベースに登録された利用者のみが利用でき、貸出情報と利用者情報は管理される。しかし、データベースに登録されていない利用者についても、閲覧管理においては、閲覧状態のみ管理することで、利用者との関連付けは行わない。
【０００９】
さらに、図書館では書籍を複数冊同時に閲覧することも可能である。閲覧管理では、ＩＣタグリーダが書籍の識別情報を読み取りした際に、複数冊の書籍情報について、同時刻に処理したことをデータベース上の閲覧開始時間に書き込むことで、閲覧開始時刻を元に同時複数冊を閲覧したことを管理する。閲覧していた書籍を返却する際に、ＩＣタグリーダで読み込み、同時刻の閲覧開始時間の書籍を探し、冊数が不足した場合には、ＩＣタグリーダ管理装置より警告を行う。
【発明の効果】
【００１０】
以上説明したように、本発明によれば、図書管理システムにおいて書籍の閲覧管理を、書籍に貼付されたＩＣタグと、書架と閲覧室の間に設置されたＩＣタグリーダにて、書籍の情報を管理することができるため、書棚にＩＣタグリーダを設置することなく、書籍の状態を管理し、利用者から容易に書籍の状態を確認することができ、閲覧業務の効率性及び拡張性を大幅に向上できる。
【発明を実施するための最良の形態】
【００１１】
以下、本発明の実施の一形態を図１から図１０により説明する。
【００１２】
図１は本発明の実施イメージ図である。書架１は複数の書棚２からなり、大量の書籍を格納する部屋である。書棚２には、ＩＣタグ６が貼付された書籍５を格納する。閲覧室９は書架１とは別に、図書館利用者が書籍を閲覧できる部屋である。書架１と閲覧室９は出入口により行き来できる。この出入り口には、ＩＣタグを読むためのＩＣタグリーダ７とＩＣタグリーダ管理装置８が設置されている。書籍５は利用者により、書架１から閲覧室９へ持ち出されると、出入り口に設置されたＩＣタグリーダ７により、ＩＣタグ６の識別番号が読み込まれる。ＩＣタグリーダ管理装置８は、ネットワーク１３を経由して、識別番号についてサーバ１１のデータベース１０を参照し、書籍の状態を取得し、閲覧室へ移動した情報に更新する。また、閲覧室９から書架１に書籍５を戻す際も、出入り口に設置されたＩＣタグリーダ７により、ＩＣタグ６の識別番号についてサーバ１１のデータベース１０を参照し、書籍の状態を書架１に戻した情報に更新することが可能なシステムである。検索手段１２は、サーバ１１に接続可能なネットワーク１３から直接データベース１０の書籍の情報を参照したり、インターネットを経由してデータベース１０の書籍の情報を参照することが可能なシステムである。
【００１３】
図２は本発明のシステム構成図である。図書管理システムは、ＩＣタグリーダ７、ＩＣタグリーダ管理装置８、サーバ１１、データベース１０、ネットワーク１３で構成され、ＩＣタグリーダ管理装置８は、処理部、ＩＣタグリーダ制御部、データベースアクセス部、通信部、ディスプレイ表示部、音声出力部から、サーバ１１は、通信部、データベース制御部から成る。ＩＣタグリーダ管理装置８において、処理部はＩＣタグと書籍情報を突き合わせ、閲覧処理を行う。ＩＣタグリーダ制御部は、ＩＣタグリーダ７に対してＩＣタグの識別情報の読み込みを行う。データベースアクセス部は、通信部、ネットワーク１３、サーバ１１を通じてデータベース１０の参照、更新行う。ディスプレイ表示部、及び音声表示部は、警告を行う場合、ディスプレイに警告の表示をしたり、警告の音声を出力する。サーバ１１において、通信部はＩＣタグリーダ管理装置８との通信処理を行い、データベース１０へのアクセスがあった場合、データベース制御部にてデータベースを参照、更新する。
【００１４】
図３は本発明の書架１から閲覧室９へ書籍５を持ち出した際、及び閲覧室９から書架１へ書籍５を戻した際のフローチャートであり、図２のＩＣタグリーダ管理装置８の処理部で実行される。図４は、図３での動作説明に対する処理前、処理後のデータ例である。図５は、本発明の図書管理システムに登録されている利用者から検索手段１２より書籍５の情報を取得する際の画面例である。図６は、本発明の図書管理システムにより、貸出処理された場合と閲覧処理された場合のデータ例である。図７は、本発明の複数冊を同時に出入り口を通過させた場合の構成図である。図８，９は、図７の構成図に対するフローチャートであり、図２のＩＣタグリーダ管理装置８の処理部で実行される。図１０は、図８、９での動作説明に対する処理前、処理後のデータ例である。
【００１５】
以下図面に基づき説明する。
【００１６】
図３に示すフローで、本発明の図書管理システムでは、ＩＣタグ６が貼付された書籍５がＩＣタグリーダ７を設置した出入り口を通過した際にＩＣタグリーダ管理装置８からサーバ１１のデータベース１０を参照、更新する。その手順を以下に示す。
【００１７】
ＩＣタグ６は、出入り口に設置されたＩＣタグリーダ７により、識別情報を読取る（ステップ１００）。読取られた識別情報で、ＩＣタグリーダ管理装置８はデータベース１０より書籍情報を参照する（ステップ１０１）。参照した書籍情報の書籍の状態が「書架」であった場合、書籍の状態を「閲覧中」とし、閲覧回数をカウントアップ、閲覧開始時間をセットする（ステップ１１０、１１１）。また、書籍の状態が「閲覧中」であった場合、書籍の状態を「書架」とし、閲覧開始時間をクリアする（ステップ１１０、１１２）。図４は、ＩＣタグが出入り口を通過した際のデータ例である。
【００１８】
(1)の書籍の状態が「書架」から「閲覧中」に変更される際の処理前と処理後のデータ例である。また、(2)の書架の状態が「閲覧中」から「書架」に変更される際の処理前と処理後のデータ例である。
【００１９】
図５は本発明の図書管理システムの検索手段１２から、書籍の情報を検索、参照した際の表示例である。検索手段から検索された書籍は、書籍の名称や著者、出版者等の情報を表示する。また、同時に書籍個々の状態を表示し、書籍番号と状態等を表示する。状態が「閲覧中」の場合、閲覧開始時間を表示することで、利用しようとした利用者は、現在の利用の開始時間を把握でき、書架に戻される時間を推測しやすくできる。
【００２０】
図６は本発明の図書管理システムにおいて、貸出処理時のデータの例と閲覧処理時のデータ例である。貸出処理の際は、複数日間、自宅等の館外に持ち出しての利用であり、延滞の際には督促の管理が必要となる。そのため、図書館では、登録されている利用者に対しての貸出処理のみが行われる。貸出処理を行った際、データベース１０上では、書籍の状態が「書架」から「貸出中」に、貸出利用者に貸出処理を行った利用者の管理番号を登録する必要がある。これにより、延滞した際にも利用者の特定が容易であり、連絡先を調べることが可能である。
【００２１】
しかし、閲覧処理の場合、図書館を利用する利用者は、登録をしていない場合もあるため、閲覧時の利用者の管理をすることは難しい。しかし、閲覧室９は、図書館内であることと、出入り口に設置されているＩＣタグリーダ７によって、書籍５に貼付されたＩＣタグ６の出入りを管理することが可能となり、利用者の管理は不要となる。
【００２２】
図７は本発明の図書管理システムにおいて、複数冊の書籍５と貼付されたＩＣタグ６を出入り口を通過させた際の構成図である。書籍５は一度に複数冊まとめて閲覧することが可能である。ＩＣタグリーダ７は、複数のＩＣタグ６を同時に読み込むことができ、その識別番号をＩＣタグリーダ管理装置８はまとめてサーバ１１のデータベース１０へ検索及び更新する。
【００２３】
図８、９に示すフローで、本発明の図書管理システムでは、複数のＩＣタグ６を貼付された書籍５がＩＣタグリーダ７を設置した出入り口を通過した際にＩＣタグリーダ管理装置８からサーバ１１のデータベース１０を参照、更新する。その手順を以下に示す。複数のＩＣタグ６は、出入り口に設置されたＩＣタグリーダ７により、識別情報を読取る（ステップ２００）。読取られた複数の識別情報で、ＩＣタグリーダ管理装置８はデータベース１０より書籍情報を参照する（ステップ２０１）。参照した書籍情報の書籍の状態が全て書架であった場合、全ての書籍の状態を「閲覧中」とし、閲覧回数をカウントアップ、閲覧開始時間をセットする（ステップ２１０、２１１）。また、全て書籍の状態が「閲覧中」であった場合、次ステップ２２０へ進む。それ以外の状態の場合は、書籍の状態が不一致であるため、ＩＣタグリーダ管理装置８より警告を行う（ステップ２１０、２１２）。全ての書籍の状態が閲覧中であった場合、次に閲覧開始時刻を参照し、全ての時刻が異なる場合は、書籍の閲覧開始時間が不一致であるため、警告を行う（ステップ２２０、２２１）。全てが同時刻の場合は、次ステップ２３０へ進む。次にＩＣタグリーダ管理装置８はデータベース１０より閲覧開始時間が同一の書籍の件数とＩＣタグリーダ７が読み込んだＩＣタグ６の件数を比較し、同一で無い場合は、冊数が不一致であるため戻し忘れがあることを警告する（ステップ２３０、２３１）。同一の場合は、全ての書籍の状態を「書架」とし、閲覧開始時間をクリアする（ステップ２３０、２３２）。
【００２４】
図１０は、複数のＩＣタグ６が出入り口を通過した際のデータ例である。
【００２５】
(1)の書籍の状態が３冊全て「書架」から「閲覧中」に変更される際の処理前と処理後のデータ例である。また、(2)の書籍の状態が３冊全て「閲覧中」で、内２冊のみ出入り口を通過させようとした際の処理前と処理後のデータ例である。
【図面の簡単な説明】
【００２６】
【図１】本発明の図書管理システムの実施イメージ図である。
【図２】本発明の図書管理システムのシステム構成図である。
【図３】本発明の動作説明フローチャートである。
【図４】本発明の実施の例を示すデータベースである。
【図５】本発明の実施の例を示す検索結果画面の例である。
【図６】本発明の実施の例（貸出処理、閲覧処理）を示すデータベースである。
【図７】本発明の図書管理システムの構成図（複数冊処理時）である。
【図８】本発明の動作説明フローチャート（複数冊処理時）である。
【図９】本発明の動作説明フローチャート（複数冊処理時）である。
【図１０】本発明の実施の例（複数冊処理時）を示すデータベースである。
【符号の説明】
【００２７】
１…書架、２…書棚、５…書籍、６…ＩＣタグ、７…ＩＣタグリーダ、８…ＩＣタグリーダ管理装置、９…閲覧室、１０…データベース、１１…サーバ、１２…検索手段、１３…ネットワーク。
【図１】
2009110323.tif 000003
【図２】
2009110323.tif 000004
【図３】
2009110323.tif 000005
【図４】
2009110323.tif 000006
【図５】
2009110323.tif 000007
【図６】
2009110323.tif 000008
【図７】
2009110323.tif 000009
【図８】
2009110323.tif 000010
【図９】
2009110323.tif 000011
【図１０】
2009110323.tif 000012